(57)【要約】【課題】  通信端末に、通信用データとは別の傍受用データの生成と送信を行う機能を持たせなくとも、当該機能を有していない通信端末に対する通信傍受をすることを可能にする。【解決手段】  ＳＩＰサーバ３０は、携帯電話機１０，２０間のデータの送受信を制御する通信制御装置であって、通信傍受の開始要求を通信傍受装置５０から受信する要求受信部３４と、開始要求が受信されると、通信傍受装置５０を介してデータを送受信するよう要求する切替要求を携帯電話機１０，２０のそれぞれに対して送信する切替送信部３５と、開始要求が受信されると、携帯電話機１０，２０間の通信を接続させるためのセッション情報を通信傍受装置５０に送信して、切替要求を受信した携帯電話機１０，２０間の、セッション情報に基づく通信を当該通信傍受装置５０に中継させるとともに傍受させる情報送信部３６と、を備える。【選択図】  図１
2008270899.tif 000002
【特許請求の範囲】
【請求項１】
第一通信端末と第二通信端末との間のデータの送受信を制御する通信制御装置であって、
通信傍受の開始要求を通信傍受装置から受信する要求受信部と、
前記要求受信部により前記開始要求が受信されると、前記通信傍受装置を介して前記データを送受信するよう要求する切替要求を前記第一及び第二通信端末のそれぞれに対して送信する切替送信部と、
前記要求受信部により前記開始要求が受信されると、前記第一通信端末と前記第二通信端末との間の通信を接続させるための接続情報を前記通信傍受装置に送信して、前記切替要求を受信した前記第一通信端末と前記第二通信端末との間の、前記接続情報に基づく通信を当該通信傍受装置に中継させるとともに傍受させる情報送信部と、
を備えることを特徴とする通信制御装置。
【請求項２】
第一通信端末と第二通信端末との間で送受信されるデータを傍受する通信傍受装置であって、
前記第一通信端末と前記第二通信端末との間の通信を中継する通信制御装置に通信傍受の開始要求を送信して、当該通信傍受装置を介して前記データを送受信するよう要求する切替要求を前記第一及び第二通信端末のそれぞれに対して当該通信制御装置に送信させる開始送信部と、
前記開始要求を受信した前記通信制御装置から、前記第一通信端末と前記第二通信端末との間の通信を接続させるための接続情報を受信する情報受信部と、
前記接続情報に基づいて、前記切替要求を受信した前記第一通信端末と前記第二通信端末との間の通信を中継するとともに傍受する中継傍受部と、
を備えることを特徴とする通信傍受装置。
【請求項３】
第一通信端末と、第二通信端末と、前記第一通信端末と前記第二通信端末との間のデータの送受信を制御する通信制御装置と、前記第一通信端末と前記第二通信端末との間で送受信される前記データを傍受する通信傍受装置と、を備える通信傍受システムであって、
前記通信制御装置は、
通信傍受の開始要求を通信傍受装置から受信する要求受信部と、
前記要求受信部により前記開始要求が受信されると、前記通信傍受装置を介して前記データを送受信するよう要求する切替要求を前記第一及び第二通信端末のそれぞれに対して送信する切替送信部と、
前記要求受信部により前記開始要求が受信されると、前記第一通信端末と前記第二通信端末との間の通信を接続させるための接続情報を前記通信傍受装置に送信して、前記切替要求を受信した前記第一通信端末と前記第二通信端末との間の、前記接続情報に基づく通信を当該通信傍受装置に中継させるとともに傍受させる情報送信部と、
を有し、
前記通信傍受装置は、
前記第一通信端末と前記第二通信端末との間の通信を中継する通信制御装置に通信傍受の開始要求を送信する開始送信部と、
前記開始要求を受信した前記通信制御装置から、前記接続情報を受信する情報受信部と、
前記接続情報に基づいて、前記切替要求を受信した前記第一通信端末と前記第二通信端末との間の通信を中継するとともに傍受する中継傍受部と、
を有することを特徴とする通信傍受システム。
【請求項４】
第一通信端末と第二通信端末との間のデータの送受信を制御する通信制御装置により実行される通信制御方法であって、
通信傍受の開始要求を通信傍受装置から受信する要求受信ステップと、
前記要求受信ステップにより前記開始要求が受信されると、前記通信傍受装置を介して前記データを送受信するよう要求する切替要求を前記第一及び第二通信端末のそれぞれに対して送信する切替送信ステップと、
前記要求受信ステップにより前記開始要求が受信されると、前記第一通信端末と前記第二通信端末との間の通信を接続させるための接続情報を前記通信傍受装置に送信して、前記切替要求を受信した前記第一通信端末と前記第二通信端末との間の、前記接続情報に基づく通信を当該通信傍受装置に中継させるとともに傍受させる情報送信ステップと、
を有することを特徴とする通信制御方法。
【請求項５】
第一通信端末と第二通信端末との間で送受信されるデータを傍受する通信傍受装置により実行される通信傍受方法であって、
前記第一通信端末と前記第二通信端末との間の通信を中継する通信制御装置に通信傍受の開始要求を送信して、当該通信傍受装置を介して前記データを送受信するよう要求する切替要求を前記第一及び第二通信端末のそれぞれに対して当該通信制御装置に送信させる開始送信ステップと、
前記開始要求を受信した前記通信制御装置から、前記第一通信端末と前記第二通信端末との間の通信を接続させるための接続情報を受信する情報受信ステップと、
前記接続情報に基づいて、前記切替要求を受信した前記第一通信端末と前記第二通信端末との間の通信を中継するとともに傍受する中継傍受ステップと、
を有することを特徴とする通信傍受方法。
【発明の詳細な説明】
【技術分野】
【０００１】
本発明は、通信傍受することを可能にする通信制御装置、通信傍受装置、通信傍受システム、通信制御方法、及び通信傍受方法に関するものである。
【背景技術】
【０００２】
通信端末間で送受信されるデータをモニタする通信傍受装置を用いて、通信傍受することが行われている。例えば、下記の特許文献１に開示された通信傍受装置は、通信中の一方の通信端末にモニタ要求信号を送信して、モニタ用データの送信を要求し、他方の通信端末との間で送受信されるデータを含むモニタ用データを当該一方の通信端末から受信すると、これを再生することによって通信傍受を行っている。
【特許文献１】特開２００２−２６９７６号公報
【発明の開示】
【発明が解決しようとする課題】
【０００３】
しかしながら、他方の通信端末と通信中の一方の通信端末に、モニタ用データといったような、通信用データとは別の傍受用データの生成と送信を行う機能を持たせる必要があるため、当該機能を有していない通信端末に対する通信傍受を行うことは不可能であるという課題がある。
【０００４】
そこで本発明では、通信端末に、通信用データとは別の傍受用データの生成と送信を行う機能を持たせなくとも、当該機能を有していない通信端末に対する通信傍受をすることを可能にする通信制御装置、通信傍受装置、通信傍受システム、通信制御方法、及び通信傍受方法を提供することを目的とする。
【課題を解決するための手段】
【０００５】
本発明に係る通信制御装置は、第一通信端末と第二通信端末との間のデータの送受信を制御する通信制御装置であって、通信傍受の開始要求を通信傍受装置から受信する要求受信部と、要求受信部により開始要求が受信されると、通信傍受装置を介してデータを送受信するよう要求する切替要求を第一及び第二通信端末のそれぞれに対して送信する切替送信部と、要求受信部により開始要求が受信されると、第一通信端末と第二通信端末との間の通信を接続させるための接続情報を通信傍受装置に送信して、切替要求を受信した第一通信端末と第二通信端末との間の、接続情報に基づく通信を当該通信傍受装置に中継させるとともに傍受させる情報送信部と、を備えることを特徴とする。
【０００６】
本発明に係る通信制御装置によれば、まず、上記の開始要求を通信制御装置が通信傍受装置から受信すると、当該通信傍受装置を介してデータを送受信するよう要求する切替要求を、通信制御装置が第一及び第二通信端末のそれぞれに対して送信する。また、通信制御装置が、上記の接続情報を通信傍受装置に送信する。そして、通信傍受装置が、この接続情報に基づいて、切替要求を受信した第一通信端末と第二通信端末との間の通信を中継するとともに傍受する。この結果、第一の通信端末や第二の通信端末に、通信用データとは別の傍受用データの生成と送信を行う機能を持たせなくとも、当該機能を有していない通信端末に対する通信傍受をすることが可能となる。
【０００７】
本発明に係る通信傍受装置は、第一通信端末と第二通信端末との間で送受信されるデータを傍受する通信傍受装置であって、第一通信端末と第二通信端末との間の通信を中継する通信制御装置に通信傍受の開始要求を送信して、当該通信傍受装置を介してデータを送受信するよう要求する切替要求を第一及び第二通信端末のそれぞれに対して当該通信制御装置に送信させる開始送信部と、開始要求を受信した通信制御装置から、第一通信端末と第二通信端末との間の通信を接続させるための接続情報を受信する情報受信部と、接続情報に基づいて、切替要求を受信した第一通信端末と第二通信端末との間の通信を中継するとともに傍受する中継傍受部と、を備えることを特徴とする。
【０００８】
本発明に係る通信傍受装置によれば、まず、上記の開始要求を通信制御装置が通信傍受装置から受信すると、当該通信傍受装置を介してデータを送受信するよう要求する切替要求を、通信制御装置が第一及び第二通信端末のそれぞれに対して送信する。また、通信制御装置が、上記の接続情報を通信傍受装置に送信する。そして、通信傍受装置が、この接続情報に基づいて、切替要求を受信した第一通信端末と第二通信端末との間の通信を中継するとともに傍受する。この結果、第一の通信端末や第二の通信端末に、通信用データとは別の傍受用データの生成と送信を行う機能を持たせなくとも、当該機能を有していない通信端末に対する通信傍受をすることが可能となる。
【０００９】
本発明に係る通信傍受システムは、第一通信端末と、第二通信端末と、第一通信端末と第二通信端末との間のデータの送受信を制御する通信制御装置と、第一通信端末と第二通信端末との間で送受信されるデータを傍受する通信傍受装置と、を備える通信傍受システムであって、通信制御装置は、通信傍受の開始要求を通信傍受装置から受信する要求受信部と、要求受信部により開始要求が受信されると、通信傍受装置を介してデータを送受信するよう要求する切替要求を第一及び第二通信端末のそれぞれに対して送信する切替送信部と、要求受信部により開始要求が受信されると、第一通信端末と第二通信端末との間の通信を接続させるための接続情報を通信傍受装置に送信して、切替要求を受信した第一通信端末と第二通信端末との間の、接続情報に基づく通信を当該通信傍受装置に中継させるとともに傍受させる情報送信部と、を有し、通信傍受装置は、第一通信端末と第二通信端末との間の通信を中継する通信制御装置に通信傍受の開始要求を送信する開始送信部と、開始要求を受信した通信制御装置から、接続情報を受信する情報受信部と、接続情報に基づいて、切替要求を受信した第一通信端末と第二通信端末との間の通信を中継するとともに傍受する中継傍受部と、を有することを特徴とする。
【００１０】
本発明に係る通信傍受システムによれば、まず、上記の開始要求を通信制御装置が通信傍受装置から受信すると、当該通信傍受装置を介してデータを送受信するよう要求する切替要求を、通信制御装置が第一及び第二通信端末のそれぞれに対して送信する。また、通信制御装置が、上記の接続情報を通信傍受装置に送信する。そして、通信傍受装置が、この接続情報に基づいて、切替要求を受信した第一通信端末と第二通信端末との間の通信を中継するとともに傍受する。この結果、第一の通信端末や第二の通信端末に、通信用データとは別の傍受用データの生成と送信を行う機能を持たせなくとも、当該機能を有していない通信端末に対する通信傍受をすることが可能となる。
【００１１】
本発明に係る通信制御方法は、第一通信端末と第二通信端末との間のデータの送受信を制御する通信制御装置により実行される通信制御方法であって、通信傍受の開始要求を通信傍受装置から受信する要求受信ステップと、要求受信ステップにより開始要求が受信されると、通信傍受装置を介してデータを送受信するよう要求する切替要求を第一及び第二通信端末のそれぞれに対して送信する切替送信ステップと、要求受信ステップにより開始要求が受信されると、第一通信端末と第二通信端末との間の通信を接続させるための接続情報を通信傍受装置に送信して、切替要求を受信した第一通信端末と第二通信端末との間の、接続情報に基づく通信を当該通信傍受装置に中継させるとともに傍受させる情報送信ステップと、を有することを特徴とする。
【００１２】
本発明に係る通信制御方法によれば、まず、上記の開始要求を通信制御装置が通信傍受装置から受信すると、当該通信傍受装置を介してデータを送受信するよう要求する切替要求を、通信制御装置が第一及び第二通信端末のそれぞれに対して送信する。また、通信制御装置が、上記の接続情報を通信傍受装置に送信する。そして、通信傍受装置が、この接続情報に基づいて、切替要求を受信した第一通信端末と第二通信端末との間の通信を中継するとともに傍受する。この結果、第一の通信端末や第二の通信端末に、通信用データとは別の傍受用データの生成と送信を行う機能を持たせなくとも、当該機能を有していない通信端末に対する通信傍受をすることが可能となる。
【００１３】
本発明に係る通信傍受方法は、第一通信端末と第二通信端末との間で送受信されるデータを傍受する通信傍受装置により実行される通信傍受方法であって、第一通信端末と第二通信端末との間の通信を中継する通信制御装置に通信傍受の開始要求を送信して、当該通信傍受装置を介してデータを送受信するよう要求する切替要求を第一及び第二通信端末のそれぞれに対して当該通信制御装置に送信させる開始送信ステップと、開始要求を受信した通信制御装置から、第一通信端末と第二通信端末との間の通信を接続させるための接続情報を受信する情報受信ステップと、接続情報に基づいて、切替要求を受信した第一通信端末と第二通信端末との間の通信を中継するとともに傍受する中継傍受ステップと、を有することを特徴とする。
【００１４】
本発明に係る通信傍受方法によれば、まず、上記の開始要求を通信制御装置が通信傍受装置から受信すると、当該通信傍受装置を介してデータを送受信するよう要求する切替要求を、通信制御装置が第一及び第二通信端末のそれぞれに対して送信する。また、通信制御装置が、上記の接続情報を通信傍受装置に送信する。そして、通信傍受装置が、この接続情報に基づいて、切替要求を受信した第一通信端末と第二通信端末との間の通信を中継するとともに傍受する。この結果、第一の通信端末や第二の通信端末に、通信用データとは別の傍受用データの生成と送信を行う機能を持たせなくとも、当該機能を有していない通信端末に対する通信傍受をすることが可能となる。
【発明の効果】
【００１５】
本発明によれば、通信端末に、通信用データとは別の傍受用データの生成と送信を行う機能を持たせなくとも、当該機能を有していない通信端末に対する通信傍受をすることができる。
【発明を実施するための最良の形態】
【００１６】
以下、添付図面を参照しながら本発明の好適な実施形態を説明する。なお、図面の説明において同一要素には同一符号を付し、重複する説明を省略する。
【００１７】
まず、本発明の実施形態である通信傍受システムについて、図１を用いて説明する。図１は、携帯電話機などの通信端末間で送受信されるデータを傍受する通信傍受システム１００を説明するための説明図である。このシステム１００によって傍受されるデータは、例えば、ＶｏＩＰ（Voice over Internet Protocol）通信における音声データ（すなわち音声データを含むパケット）である。携帯電話機１０，２０間でＩＰ網６０を介して音声データの送受信が行われるＶｏＩＰ通信において、音声データの通信ルートは固定されておらず、ルータ（図示せず）などのネットワーク装置などによって動的に決定される。ここでは、携帯電話機１０から携帯電話機２０に対して発呼が行われるとして説明する。
【００１８】
通信傍受システム１００は、発信側となる携帯電話機１０（第一通信端末）と、着信側となる携帯電話機２０（第二通信端末）と、携帯電話機１０と通信接続される側すなわち発信側となるＳＩＰ（Session Initiation Protocol）サーバ３０（通信制御装置）と、携帯電話機２０と通信接続される側すなわち着信側となるＳＩＰサーバ４０（通信制御装置）と、携帯電話機１０，２０間で送受信される音声データを傍受する通信傍受装置５０とを備えて構成されている。通信傍受システム１００が備える携帯電話機やＳＩＰサーバなどの数は、特に限定されない。
【００１９】
次に、携帯電話機１０，２０間で音声データの送受信が開始されてから、通信傍受装置５０によって傍受の開始が要求されて通信が傍受されるまでの流れについて説明する。まず、携帯電話機１０を特定する発信先情報（例えば電話番号やＩＰアドレスなど）が、携帯電話機１０から携帯電話機２０に向けて送信されると、この発信先情報は、ＳＩＰサーバ３０、ＳＩＰサーバ４０を順に経由して携帯電話機２０により受信される（ステップＳ１０）。そして、ＳＩＰサーバ３０が、携帯電話機１０，２０間の通信を接続させるための接続情報となるセッション情報を、生成して保持する（ステップＳ２０）。このセッション情報は、音声データをやり取りしあう携帯電話機を特定する情報である。
【００２０】
次に、携帯電話機２０を特定する着信先情報（例えば電話番号やＩＰアドレスなど）が、携帯電話機２０から携帯電話機１０に向けて送信されると、この着信先情報は、ＳＩＰサーバ４０、ＳＩＰサーバ３０を順に経由して携帯電話機１０により受信される（ステップＳ３０）。このように、携帯電話機１０，２０間で、発信先情報および着信先情報のやり取りが完了すると、ＩＰ網６０を介した音声データの送受信が開始される（ステップＳ４０）。
【００２１】
ここで、通信傍受装置５０が、通信傍受の開始を要求する開始要求をＳＩＰサーバ３０に送信する（ステップＳ５０、開始送信ステップ）。これにより、ＳＩＰサーバ３０は、この開始要求を受信する（要求受信ステップ）。この開始要求を受信したＳＩＰサーバ３０は、保持していたセッション情報を通信傍受装置５０に送信する（ステップＳ６０、情報送信ステップ）。これにより、通信傍受装置５０は、このセッション情報を受信する（情報受信ステップ）。また、ＳＩＰサーバ３０は、開始要求を受信すると、切替要求を携帯電話機１０，２０のそれぞれに対して送信する（ステップＳ７０、切替送信ステップ）。この切替要求は、音声データの通信ルートとしてＩＰ網６０が利用されている状況から、通信傍受装置５０を介して音声データを送受信するよう通信ルートの切替を要求する情報である。
【００２２】
そして、ステップＳ７０で切替要求を受信した携帯電話機１０，２０のそれぞれは、音声データの送信先を通信傍受装置５０に変更する。これにより、携帯電話機１０，２０のそれぞれは、通信傍受装置５０を介した音声データの送受信を開始する。そして、ステップＳ６０でセッション情報を受信した通信傍受装置５０は、このセッション情報に基づく通信を中継するとともに、この通信を傍受する（ステップＳ８０、中継傍受ステップ）。これにより、通信傍受装置５０は、携帯電話機１０，２０間で送受信される音声データを中継しながら、この通信を傍受することができる。
【００２３】
次に、携帯電話機１０，２０について説明する。携帯電話機１０，２０は、ＩＰ網６０（および通信傍受装置５０）を介して音声データを送受信することが可能な、従来の携帯電話機である。なお、携帯電話機１０，２０の代わりとしては、ＩＰ網６０（および通信傍受装置５０）を介して音声データを送受信する通信端末であれば特に限定されず、ＰＤＡやパソコンなどでもよい。
【００２４】
次に、本実施形態であるＳＩＰサーバ３０および通信傍受装置５０の構成について、図２及び図３を用いて説明する。図２は、ＳＩＰサーバ３０および通信傍受装置５０のそれぞれの機能構成を示す構成図である。また、図３は、ＳＩＰサーバ３０および通信傍受装置５０のハードウェア構成を示す構成図である。まず、ＳＩＰサーバ３０および通信傍受装置５０のハードウェア構成について説明する。図３に示すように、ＳＩＰサーバ３０および通信傍受装置５０は、ＣＰＵ（Central Processing Unit）３０１、主記憶装置であるＲＡＭ（Random Access Memory）３０２、ＲＯＭ(Read Only Memory)３０３、通信を行うための通信モジュール３０４、並びにハードディスク等の補助記憶装置３０５等のハードウェアを備えるコンピュータとして構成される。これらの構成要素が動作することにより、ＳＩＰサーバ３０および通信傍受装置５０のそれぞれの機能が発揮される。
【００２５】
次に、図２を用いて、携帯電話機１０，２０間の音声データの送受信を制御するＳＩＰサーバ３０の機能的な構成要素について説明する。ＳＩＰサーバ３０は、機能的な構成要素として、中継受信部３１と、中継セッション情報管理部３２と、中継送信部３３と、要求受信部３４と、切替送信部３５と、情報送信部３６と、を有している。中継受信部３１は、携帯電話機１０から発信先情報を受信したり、携帯電話機２０から着信先情報を受信したり、携帯電話機１０，２０から音声データを受信する部分である。中継受信部３１は、受信した発信先情報とこれに対応する着信先情報とを対応付けて、中継セッション情報管理部３２に格納する。また、中継受信部３１は、受信した音声データを中継送信部３３に転送する。
【００２６】
中継セッション情報管理部３２は、発信先情報と着信先情報とを対応付けて格納する部分である。より詳しくは、中継セッション情報管理部３２は、中継受信部３１が受信した携帯電話機１０の発信先情報と、これに対応する携帯電話機２０の着信先情報とを、セッション情報として対応付けながら記憶する。
【００２７】
中継送信部３３は、音声データや発信先情報や着信先情報を転送する部分である。より詳しくは、中継送信部３３は、携帯電話機１０から送信された音声データや発信先情報を、ＳＩＰサーバ４０を経由させて携帯電話機２０に転送したり、携帯電話機２０から送信された音声データや着信先情報を、ＳＩＰサーバ３０を経由させて携帯電話機１０に転送したりする。
【００２８】
要求受信部３４は、通信傍受の開始要求を通信傍受装置５０から受信する部分である。要求受信部３４は、携帯電話機１０，２０間で音声データの送受信が行われている間において、通信傍受装置が通信傍受を開始しようとしたときに、この開始要求を受信する。
【００２９】
切替送信部３５は、要求受信部３４により開始要求が受信されると、切替要求を携帯電話機１０，２０のそれぞれに対して送信する部分である。この切替要求とは、通信傍受装置５０を介して音声データを送受信するよう、携帯電話機１０，２０のそれぞれに対して要求する情報である。この切替要求を受信した携帯電話機１０，２０のそれぞれは、音声データを通信傍受装置５０に対して送信するようになる。
【００３０】
情報送信部３６は、要求受信部３４により開始要求が受信されると、上記のセッション情報を通信傍受装置５０に送信する部分である。情報送信部３６は、上記のセッション情報を中継セッション情報管理部３２から抽出選択してから、このセッション情報を通信傍受装置５０に送信する。これにより、上記の切替要求を受信した携帯電話機１０，２０間の、このセッション情報に基づく通信が、通信傍受装置５０により中継されるとともに傍受される。
【００３１】
次に、図２を用いて、携帯電話機１０，２０間で送受信されるデータを傍受する通信傍受装置５０の機能的な構成要素について説明する。通信傍受装置５０は、機能的な構成要素として、開始送信部５１と、情報受信部５２と、傍受セッション情報管理部５３と、中継傍受部５４と、傍受送信部５５と、を有している。開始送信部５１は、上記の通信傍受の開始要求をＳＩＰサーバ３０に送信する部分である。これにより、この開始要求を受信したＳＩＰサーバ３０は、上記の切替要求を携帯電話機１０，２０のそれぞれに対して送信するようになる。
【００３２】
情報受信部５２は、上記の開始要求を受信したＳＩＰサーバ３０から、上記のセッション情報を受信する部分である。このセッション情報は、傍受セッション情報管理部５３に格納される。
【００３３】
傍受セッション情報管理部５３は、情報受信部５２により受信されたセッション情報を格納する部分である。このセッション情報は、携帯電話機１０の発信先情報と、これに対応する携帯電話機２０の着信先情報とが対応付けられた情報であり、より詳しくは、傍受セッション情報管理部５３は、中継受信部３１が受信した携帯電話機１０の発信先情報と、これに対応する携帯電話機２０の着信先情報とを、セッション情報として対応付けながら記憶する。
【００３４】
中継傍受部５４は、傍受セッション情報管理部５３に格納されているセッション情報に基づいて、上記の切替要求を受信した携帯電話機１０，２０間の通信を中継するとともに傍受する部分である。より詳しくは、中継傍受部５４は、セッション情報に基づいて、発信先情報に示される携帯電話機１０と（この発信先情報に対応づけられた）着信先情報に示される携帯電話機２０との間で送受信される音声データを、中継しながら傍受する。
【００３５】
傍受送信部５５は、中継傍受部５４が一方の携帯電話機（例えば携帯電話機１０）から受信して傍受した音声データを、他方の携帯電話機（例えば携帯電話機２０）に送信する部分である。
【００３６】
引き続いて、セッション情報の一例について説明する。図４は、セッション情報の一例を説明する説明図である。セッション情報は、音声データをやり取りしあう２台の携帯電話機を特定する情報である。セッション情報は、セッションＩＤ、発信ユーザＩＤ、発ユーザＩＰアドレス、着信ユーザＩＤ、及び着ユーザＩＰアドレスを含んで構成される。セッションＩＤは、セッション情報がＳＩＰサーバ３０の中継受信部３１によって生成されたときに一意に特定可能に割り振られるＩＤであり、例えば「９９８８４２９１」である。発信ユーザＩＤは、携帯電話機１０を特定する発信先情報であり、例えば「０９０３９２４７０１４」といったような電話番号である。発ユーザＩＰアドレスは、携帯電話機１０を特定する発信先情報であり、例えば「１０．１１．５．６」といったようなＩＰアドレスである。着信ユーザＩＤは、携帯電話機２０を特定する着信先情報であり、例えば「０９０４３９２１２９１」といったような電話番号である。着ユーザＩＰアドレスは、携帯電話機２０を特定する着信先情報であり、例えば「１０．１２．８．９」といったようなＩＰアドレスである。このように、セッション情報は、セッションＩＤ、発信ユーザＩＤ、発ユーザＩＰアドレス、着信ユーザＩＤ、及び着ユーザＩＰアドレスが互いに対応付けられた情報である。
【００３７】
引き続いて、携帯電話機１０，２０と、ＳＩＰサーバ３０，４０と、通信傍受装置５０を備える通信傍受システム１００において行われる処理の流れについて説明する。図５は、通信傍受システム１００において行われる処理の流れを示すシーケンス図である。まず、携帯電話機１０を特定する発信先情報（例えば電話番号やＩＰアドレスなど）が、携帯電話機１０から携帯電話機２０に向けて送信されると、この発信先情報は、ＳＩＰサーバ３０、ＳＩＰサーバ４０を順に経由して、接続要求として携帯電話機２０により受信される（ステップＳ１０）。そして、ＳＩＰサーバ３０が、携帯電話機１０，２０間の通信を接続させるための接続情報となるセッション情報を、生成して保持する（ステップＳ２０）。
【００３８】
次に、携帯電話機２０を特定する着信先情報（例えば電話番号やＩＰアドレスなど）が、携帯電話機２０から携帯電話機１０に向けて送信されると、この着信先情報は、ＳＩＰサーバ４０、ＳＩＰサーバ３０を順に経由して、接続応答として携帯電話機１０により受信される（ステップＳ３０）。このように、携帯電話機１０，２０間で、発信先情報および着信先情報のやり取りが完了すると、ＩＰ網を介した音声データの送受信が可能となる（ステップＳ４０）。この結果、携帯電話機１０，２０間において通話中となる。
【００３９】
ここで、通信傍受装置５０において通信傍受を行う契機が発生したとする（ステップＳ４１）。このとき、通信傍受装置５０が、通信傍受の開始を要求する開始要求をＳＩＰサーバ３０に送信する（ステップＳ５０、開始送信ステップ）。この開始要求には、発信ユーザＩＤ（例えば発信ユーザ電話番号すなわち携帯電話機１０の電話番号）や、通信傍受装置５０のＩＰアドレス及びポート番号などが含まれている。これに対して、ＳＩＰサーバ３０は、この開始要求を通信傍受要求として受信する（要求受信ステップ）。この開始要求を受信したＳＩＰサーバ３０は、保持していたセッション情報を通信傍受装置５０に送信する（ステップＳ６０、情報送信ステップ）。これにより、通信傍受装置５０は、このセッション情報を通信傍受要求応答として受信する（情報受信ステップ）。そして、通信傍受装置５０は、発信側となる携帯電話機１０の電話番号及びＩＰアドレスと、受信側となる携帯電話機２０のＩＰアドレスとの対応付けを行い、この対応付けに関する情報を保持する（ステップＳ６１）。
【００４０】
また、ＳＩＰサーバ３０は、上記の開始要求を受信すると、接続先の切替要求を携帯電話機１０，２０のそれぞれに対して送信する（ステップＳ７０、切替送信ステップ）。この切替要求は、音声データの通信ルートとしてＩＰ網６０が利用されている状況から、通信傍受装置５０を介して音声データを送受信するよう通信ルートの切替を要求する情報である。この切替要求には、通信傍受装置５０のＩＰアドレス及びポート番号が含まれている。
【００４１】
そして、ステップＳ７０で切替要求を受信した携帯電話機１０，２０のそれぞれ（例えば携帯電話機１０）は、音声データの中継局となる送信先を通信傍受装置５０に変更し、通信傍受装置５０経由で一方の携帯電話機（この場合、携帯電話機２０）にこの音声データを送信する（ステップＳ７１）。これにより、携帯電話機１０，２０のそれぞれは、通信傍受装置５０を介した音声データの送受信を開始する。そして、ステップＳ６０でセッション情報を受信した通信傍受装置５０は、このセッション情報に基づく通信を中継するとともに、この通信の傍受を開始する（ステップＳ８０、中継傍受ステップ）。これにより、通信傍受装置５０は、携帯電話機１０，２０間で送受信される音声データを転送中継しながら、この通信を傍受することができる。
【００４２】
引き続き、本実施形態の作用効果について説明する。まず、通信傍受の開始要求をＳＩＰサーバ３０が通信傍受装置５０から受信する（ステップＳ５０）と、通信傍受装置５０を介してデータを送受信するよう要求する切替要求を、ＳＩＰサーバ３０が携帯電話機１０，２０のそれぞれに対して送信する（ステップＳ７０）。また、ＳＩＰサーバ３０が、上記のセッション情報を通信傍受装置５０に送信する（ステップＳ６０）。そして、通信傍受装置５０が、受信したこのセッション情報に基づいて、切替要求を受信した携帯電話機１０，２０間の通信を中継するとともに音声データを傍受する。
【００４３】
この結果、携帯電話機１０，２０間で送受信される音声データとは別の、通信傍受装置５０が通信傍受を行うための傍受用の音声データを生成する生成機能とこの傍受用音声データを通信傍受装置５０に送信する送信機能とを携帯電話機１０，２０に持たせなくとも、当該機能を有していない携帯電話機１０，２０に対する通信傍受をすることが可能となる。同様に、携帯電話機１０とＳＩＰサーバ３０との間の通信を中継するアクセスネットワーク装置を設けた場合、傍受用音声データを生成する生成機能とこの傍受用音声データを通信傍受装置５０に送信する送信機能とをこのアクセスネットワーク装置に持たせなくとも、携帯電話機１０，２０に対する通信傍受をすることが可能となる。また、この場合、アクセスネットワーク装置による上記処理の負担は不要となり、また、上記の機能をもたせるための開発も不要となる。
【００４４】
また、携帯電話機１０，２０は、上記の傍受用音声データの生成と送信を行う必要が無いため、このデータの生成と送信を行う追加の処理負担が不要となる。この結果、携帯電話機１０，２０の通話品質に影響が出ないようにすることが可能となる。更に、携帯電話機１０，２０の製造事業者による、このような機能をもたせるための開発負担を不要にすることができる。
【図面の簡単な説明】
【００４５】
【図１】本実施形態の通信傍受システムを説明するための説明図である。
【図２】本実施形態のＳＩＰサーバおよび通信傍受装置のそれぞれの機能構成を示す構成図である
【図３】本実施形態のＳＩＰサーバおよび通信傍受装置のそれぞれのハードウェア構成を示す構成図である
【図４】セッション情報の一例を説明する説明図である。
【図５】通信傍受システムにおいて行われる処理の流れを示すシーケンス図である。
【符号の説明】
【００４６】
１０，２０…携帯電話機、３０，４０…ＳＩＰサーバ、３１…中継受信部、３２…中継セッション情報管理部、３３…中継送信部、３４…要求受信部、３５…切替送信部、３６…情報送信部、５０…通信傍受装置、５１…開始送信部、５２…情報受信部、５３…傍受セッション情報管理部、５４…中継傍受部、５５…傍受送信部、６０…ＩＰ網、１００…通信傍受システム、３０４…通信モジュール、３０５…補助記憶装置。
【図１】
2008270899.tif 000003
【図２】
2008270899.tif 000004
【図３】
2008270899.tif 000005
【図４】
2008270899.tif 000006
【図５】
2008270899.tif 000007